(57)【要約】    【課題】  複数の投射手段を用いて画像情報をスクリーン上に投射したとき、投射面上で、各々の投射手段により投射領域が重なる場合がある。このようなときでも双方の画像を容易に認識することができるマルチプロジェクションシステムを得ること。    【解決手段】  投射面に映像を投射する少なくとも第１、第２の投射手段と、該第１、第２の投射手段によって該投射面内に投射された第１と第２の投射領域のうち少なくとも一方の投射領域の画像表示領域を検出する投射領域検出手段と、該投射領域検出手段による検出結果に基づいて該第１、第２の投射領域に投射される少なくとも一方の画像表示領域を制御する投射領域制御手段と、を有するマルチプロジェクションシステム。【選択図】  図１
2007079028.tif 000002
【特許請求の範囲】
【請求項１】
投射面に画像を投射する投射手段と、
前記投射面内の所定領域内における、前記投射手段以外の他の投射手段により画像が投射されている投射領域を得るための投射領域検出手段と、
前記投射領域検出手段からの入力信号に基づいて、前記投射手段で画像を投射する投射領域を制御する投射領域制御手段とを有することを特徴とする投射型画像表示装置。
【請求項２】
前記投射領域検出手段によって、前記投射手段により画像が投射されている領域と、前記投射手段以外の他の投射手段により画像が投射されている領域とが、互いに重なっている領域が得られることを特徴とする請求項１の投射型画像表示装置。
【請求項３】
前記投射領域検出手段によって、前記投射手段以外の他の投射手段により画像が投射されている領域が得られることを特徴とする請求項１の投射型画像表示装置。
【請求項４】
前記前記投射手段により画像が投射されている領域と、前記投射手段以外の他の投射手段により画像が投射されている領域とが、互いに重なっている領域を重複領域と称するとき、
前記投射領域制御手段は、前記投射手段により前記重複領域に画像を投射しないようにすることを特徴とする請求項１乃至３のいずれか１項に記載の投射型画像表示装置。
【請求項５】
前記投射手段により画像が投射されている領域と、前記投射手段以外の他の投射手段により画像が投射されている領域とが、互いに重なっている領域を重複領域と称するとき、
前記投射領域制御手段は、前記投射手段により前記重複領域に略単一の色を投射することを特徴とする請求項１乃至３のいずれか１項に記載の投射型画像表示装置。
【請求項６】
投射面に画像を投射する少なくとも第１、第２の投射手段と、該第１、第２の投射手段によって該投射面内に投射された第１と第２の投射領域のうち少なくとも一方の投射領域を得るための投射領域検出手段と、該投射領域検出手段による検出結果に基づいて該第１、第２の投射領域の少なくとも一方を制御する投射領域制御手段と、を有することを特徴とするマルチプロジェクションシステム。
【請求項７】
前記投射領域制御手段が、前記投射領域検出手段によって得られる、前記第１の投射手段による第１の投射領域と前記第２の投射手段による第２の投射領域とが重畳する領域に関する情報に基づいて、前記第１の投射手段による投射領域を制御することを特徴とする請求項６記載のマルチプロジェクションシステム。
【請求項８】
前記第１、第２の投射手段のうち少なくとも１つの投射手段は移動可能であることを特徴とする請求項６又は７のマルチプロジェクションシステム。
【発明の詳細な説明】
【技術分野】
【０００１】
本発明は、単一又は複数の投射手段を用いて投射面に映像を投射するときに好適な投射型画像表示装置及びマルチプロジェクションシステムに関するものである。
【背景技術】
【０００２】
従来、複数の投射手段（プロジェクタ）を組み合わせて、投射面に複数の映像を同時に投射するマルチプロジェクションシステム（画像表示システム）が利用されている。
【０００３】
このシステムのうち各々の投射手段による複数の画像表示領域をタイル状に並べることで映像を大画面に表示するシステムが知られている（例えば、特許文献１参照）。
【０００４】
また、複数の投射手段を組み合わせた画像表示システムとして、各々の投射領域を重ねるという所謂スタックプロジェクションシステムが知られている（例えば、特許文献２参照）。
【０００５】
特許文献１の図１に記載されているマルチプロジェクションシステムは、入力される映情報をそのマルチプロジェクションシステムを構成する各々のプロジェクタで分割して表示している。このときスクリーン上に１つの画面に継ぎ目が目立たない滑らかな画像を表示している。
【０００６】
特許文献２の図１に記載されているスタックプロジェクションシステムは、各々のプロジェクタによる投射表示領域を精度良く重ねている。そしてさらに各々のプロジェクタに同じ映像情報を表示させることで明るい投射画像を得ている。
【特許文献１】特開２００５−３９８４９号公報
【特許文献２】特開２００４−２２８８２４号公報
【発明の開示】
【発明が解決しようとする課題】
【０００７】
マルチプロジェクションシステムにおいて各々のプロジェクタに対して異なる映像情報を投射表示させる場合、特許文献２のスタックプロジェクションシステムでは異なった映像が重なってしまう。この結果、投射画像を認識しがたいものとなってくる。特許文献１のマルチプロジェクションシステムの場合は、各々の投射領域が異なっているため各映像情報を独立して表示することができる。しかし、投射領域が固定されているために、投射領域の位置を自在に動かすことができない。
【０００８】
単一の投射手段を用いて投射面上に映像を投射しているとき、他の投射手段から映像が投射されてきて双方の映像が重なる場合がある。
【０００９】
本発明は、このようなとき、重なった領域の映像を良好に観察することができるようにした投射型画像表示装置の提供を目的とする。
【００１０】
この他、複数の投射手段を用いて画像情報をスクリーン上に投射したとき、投射面上で、各々の投射手段により投射領域が重なる場合がある。
【００１１】
本発明は、このようなときでも双方の画像を容易に認識することができるマルチプロジェクションシステムの提供を目的とする。
【課題を解決するための手段】
【００１２】
本発明の投射型画像表示装置は、投射面に画像を投射する投射手段と、
前記投射面内の所定領域内における、前記投射手段以外の他の投射手段により画像が投射されている投射領域を得るための投射領域検出手段と、
前記投射領域検出手段からの入力信号に基づいて、前記投射手段で画像を投射する投射領域を制御する投射領域制御手段とを有することを特徴としている。
【００１３】
特に前記投射領域検出手段によって、前記投射手段により画像が投射されている領域と、前記投射手段以外の他の投射手段により画像が投射されている領域とが、互いに重なっている領域が得られることや、前記投射領域検出手段によって、前記投射手段以外の他の投射手段により画像が投射されている領域が得られることや、前記前記投射手段により画像が投射されている領域と、前記投射手段以外の他の投射手段により画像が投射されている領域とが、互いに重なっている領域を重複領域と称するとき、
前記投射領域制御手段は、前記投射手段により前記重複領域に画像を投射しないようにすることや、前記投射手段により画像が投射されている領域と、前記投射手段以外の他の投射手段により画像が投射されている領域とが、互いに重なっている領域を重複領域と称するとき、
前記投射領域制御手段は、前記投射手段により前記重複領域に略単一の色を投射すること等を特徴としている。
【００１４】
本発明のマルチプロジェクションシステムは、投射面に画像を投射する少なくとも第１、第２の投射手段と、該第１、第２の投射手段によって該投射面内に投射された第１と第２の投射領域のうち少なくとも一方の投射領域を得るための投射領域検出手段と、該投射領域検出手段による検出結果に基づいて該第１、第２の投射領域の少なくとも一方を制御する投射領域制御手段と、を有することを特徴としている。
【００１５】
特に、前記投射領域制御手段が、前記投射領域検出手段によって得られる、前記第１の投射手段による第１の投射領域と前記第２の投射手段による第２の投射領域とが重畳する領域に関する情報に基づいて、前記第１の投射手段による投射領域を制御することや、前記第１、第２の投射手段のうち少なくとも１つの投射手段は移動可能であること等を特徴としている。
【発明の効果】
【００１６】
本発明によれば、複数の投射手段を用いて画像情報をスクリーン上に投射したとき、投射面上で、各々の投射手段により投射領域が重なる場合であっても双方の画像を容易に認識することができるマルチプロジェクションシステムが得られる。
【００１７】
又、本発明によれば、単一の投射手段を用いて投射面上に映像を投射しているとき、他の投射手段から映像が投射されてきて双方の映像が重なる場合でも、所定の映像を良好に観察することができる投射型画像表示装置が得られる。
【発明を実施するための最良の形態】
【００１８】
【実施例１】
【００１９】
図１は、本発明のマルチプロジェクションシステムの実施例１の要部概要図である。
【００２０】
プロジェクタ１とプロジェクタ２は、各々スクリーン（投射面）５上の投射領域６，７に画像（映像）を投影する。映像入力信号９,１０は、それぞれプロジェクタ１,２にそれぞれ表示させるべき映像に基づく信号である。
【００２１】
プロジェクタ１,２の投射領域６,７は、重畳領域８を形成している。このため、映像入力信号９,１０に基づく画像をプロジェクタ１,２でスクリーン５上に投射すると重畳領域８で画像が重なってしまい認識しにくいものとなってくる。
【００２２】
映像入力信号９,１０は投射領域制御手段４に入力され、投射領域制御手段４により投射領域を制御された映像入力信号１１,１２となってプロジェクタ１,２に入力される。
【００２３】
投射領域制御手段４は、投射領域検出手段３と信号線１３により接続されている。投射領域検出手段３はスクリーン５上の検出領域１４内においてプロジェクタ１、２で投射される投射領域６,７の寸法、形状等を検出している。投射領域制御手段４は投射領域検出手段３によって検出されるプロジェクタ１,２による投射領域６,７の検出結果に基づいて、プロジェクタ１，２の投射領域を制限している。具体的には、映像入力信号９,１０より領域制御された映像入力信号１１,１２を生成し、この映像入力信号１１、１２に基づいて、プロジェクタ１,２の投射領域６，７を制御する。
【００２４】
例えば、重畳した領域８においては、一方のプロジェクタの投射領域を消す。
【００２５】
本実施例では、スクリーン（投射面）５に映像を投射する少なくとも第１、第２の投射手段１，２を有している。該第１、第２の投射手段１，２によって該投射面５内に投射された第１と第２の投射領域６，７のうち少なくとも一方の投射領域の画像表示領域を投射領域検出手段３で検出している。そして該投射領域検出手段３による検出結果に基づいて第１、第２の投射領域６，７に投射される少なくとも一方の画像表示領域を投射領域制御手段４で制御している。
【００２６】
例えば重畳領域８に対しては、第１の投射手段１による投射画像を消すようにしている。
【００２７】
特に本実施例では、投射領域検出手段３は、第１、第２の投射手段１、２による第１投射領域６，７のうちの第２の投射手段２による第２の投射領域７と重畳した領域８の投射画像を検出している。そして検出結果を投射領域制御手段４に入力している。そして投射領域制御手段４は、投射領域検出手段３から入力される信号に基づいて、第１の投射手段の投射領域６を制御している。
【００２８】
例えば投射画像を消している。
【００２９】
以下に、具体的な投射領域６，７の検出方法および投射領域６，７の制御方法を説明する。図２は、スクリーン５上の検出領域１４と投射領域６,７との関係を模式的に示したものである。
【００３０】
投射領域６,７は重畳領域８を形成している。はじめに、図２(ａ)のように不図示の投射領域制御手段４からの信号によりスクリーン５上において、プロジェクタ１は全画面白の画像６ａを表示させ、プロジェクタ２は全画面黒の画像７ｂを表示させる。この状態で、投射領域検出手段３により投射領域の検出を行う。投射領域検出手段３は、２次元画像を撮像できる機能を有していて、検出領域１４上の表示状態を撮像する。
【００３１】
撮像された結果をもとにしてプロジェクタ１の投射領域６ａを認識する。
【００３２】
次に、図２（ｂ）のように不図示の投射領域制御手段４からの信号によりスクリーン５上において、プロジェクタ２は全画面白の画像７ａを表示させ、プロジェクタ１は全画面黒の画像６ｂを表示させる。
【００３３】
この状態で投射領域検出手段３により投射領域の検出を行う。撮像された結果をもとにして、検出領域１４上のプロジェクタ２の投射領域７ａを認識する。
【００３４】
これによって投射領域６ａ，７ａの情報（寸法、位置形状等）を得ている。
【００３５】
図３は、投射領域６，７の制御形態についての説明図である。
【００３６】
図２と同様、スクリーン５上の各領域を模式的に示している。不図示のシステム使用者が、領域指示手段４０を用いて例えば図３(ａ)に示したように、プロジェクタ２の投射領域７を指示すると、重畳領域８には、プロジェクタ２で投射された画像が表示される。領域指示手段４０の指示した位置は、不図示の投射領域検出手段３により検出させる。それによって重畳領域８に表示する画像が制御される。
【００３７】
また、投射領域制御手段４は、映像入力信号９,１０において重畳領域８に対応する部分に黒表示をさせる（勿論、黒である必要は無く、濃い青等でも構わないし、状況によっては白一色としても構わない）様に領域制御された映像入力信号１１,１２をプロジェクタ１,２に入力するように構成されている。
【００３８】
以上のようにすることで、投射画像の重畳があった場合でも、画像を認識しにくくなることがなく、またシステムの使用者の意思で制御可能な投射画像の表示を実現することができる。
【００３９】
本実施例においては、プロジェクタを２台使用したマルチプロジェクションシステムを取り上げたが数はこれに限定するものではない。
【００４０】
図４に、i台（iは２以上）のプロジェクタを用いた場合の画像投射領域の制御のシーケンスの例を示す。
【００４１】
ＳＴＥＰ１（表示検出モード）は、投射領域を確認するプロセスであり、システムの立ち上げ時あるいは所定の時間ごとに行うものである。
【００４２】
ＳＴＥＰ２（表示機器の確認）は、何台の表示機器（プロジェクタ）が接続されているかを検出する工程であり、i台の識別を行う。
【００４３】
ＳＴＥＰ３（第iの領域取得）からＳＴＥＰ６（判定）までで、順番に投射領域検出手段３で検出した各領域（ｉ個の領域）を記憶してゆく。
【００４４】
ＳＴＥＰ７（表示検出モード終了）で、各領域の検出結果に基づいて、投射領域制御手段４により制御を開始する。その後は、例えば図３にしめしたようなシステム使用者の領域指示手段４０の位置検出をはじめる。（ＳＴＥＰ８）
本実施例において、投射領域６，７の検出にあたっては各プロジェクタに全白、全黒の画面を表示させたが、これに限定するものではない。
【００４５】
例えば、グリッドチャートやフレームといったものであってもよい。また、例えばプロジェクタ１に青色のフレーム、プロジェクタ２に赤色のフレームを同時に表示させて、投射領域検出手段３によりカラー画像を撮像させてその結果から同時に投射領域６,７の情報（寸法、位置、形状等）を認識させることもできる。
【００４６】
さらに、投射している状態で投射領域６，７の領域検出、投射領域の制御を行うことで、プロジェクタ１，２を移動して重畳領域８を増減させても、その状態に対応できるマルチプロジェクションシステムが実現できる。
【００４７】
本実施例では、投射領域検出手段３と投射領域制御手段４を別体のような形で示したが、投射領域検出手段３と投射領域制御手段４を一体に構成したものであってもよい。さらに、プロジェクタ１または２にその機能を持たせてもよい。
【実施例２】
【００４８】
図５は、本発明のマルチプロジェクションシステムの実施例２の構成概要図である。図５において、プロジェクタ１５,１６は、それぞれスクリーン１９上の投射領域２０,２１に画像を投射している。
【００４９】
プロジェクタ１５,１６には、それぞれ映像信号２３,２４が入力されている。投射領域検出手段１７は、スクリーン１９上の所定の検出領域２５内のプロジェクタ１５で投射された投射画像２０の情報を検出している。投射領域制御手段１８はプロジェクタ１５の本体内に内蔵されており、投射領域検出手段１７による検出結果をもとに映像入力信号２３に領域制御を加えた映像信号をプロジェクタ１５に入力している。プロジェクタ１５は、この映像信号に基づいて画像をスクリーン１９上に表示させるようになっている。
【００５０】
プロジェクタ１６には、映像入力信号２４がそのまま入力されおり、投射領域の制御がなされていない。
【００５１】
図５に示すプロジェクタ１５,１６の投射領域２０,２１は重畳領域２２を形成している。映像入力信号２３,２４の画像をそのままプロジェクタ１５,１６により表示する場合、重畳領域２２の画像が認識しがたいものとなる。
【００５２】
以下に、具体的な投射領域２０，２１の検出方法および投射領域２０，２１の制御方法を説明する。図６は、スクリーン１９上の検出領域２５と投射領域２０,２１を模式的に示したものである。
【００５３】
投射領域２０,２１は重畳領域２２を形成している。はじめに図６（ａ）のように不図示の投射領域制御手段１８からの信号に基づいて、スクリーン１９上においてプロジェクタ１５より投射領域２０に全画面黒の画像を表示させる。この状態で、投射領域検出手段１７により、プロジェクタ１５以外の投射領域２１の撮像を行う。投射領域検出手段１７は、２次元画像を撮像できる機能を有している。撮像された結果をもとにプロジェクタ１５以外の、つまりプロジェクタ１６の投射領域２１を認識することができる。
【００５４】
次に、プロジェクタ１５より、スクリーン１９上において、投射領域２０、２１に全画面白の画像を表示させる。この状態で投射領域検出手段１７によって検出領域の撮像を行い、全画面を黒とした場合と全画面を白とした場合の画像の差分よりプロジェクタ１５の投射領域２０を検出する。
【００５５】
本実施例では、投射領域の画像を制御できるのはプロジェクタ１５のみであるため投射領域検出手段１７による検出結果をもとにプロジェクタ１５に重畳領域２２に黒を表示するような領域制御された映像入力信号を表示する。
【００５６】
この結果として、図６（ｂ）に示したように重畳領域２２には、プロジェクタ１６の画像のみが表示されるようにすることができる。
本実施例においては、投射領域が制御可能なプロジェクタ１台、他のプロジェクタ１台の場合に関して示したが、他のプロジェクタが２台以上であっても同様の効果が得られる。図７に画像投射装置の制御シーケンスを示す。
【００５７】
本実施例においては、投射領域制御手段１８によりプロジェクタ１５にスクリーン１９上において全画面白、全画面黒の表示を行わせたがこれに限定するものではない。
【００５８】
図８は、図６と同様の投射画像の模式図を示したものである。プロジェクタ１５に対して、スクリーン１９上において、全画面黒を表示させる代わりに、所定のフレーム３９を表示させる。そして投射領域検出手段１７により所定のフレーム３９の位置を探索し、プロジェクタ１５の投射領域２０を検出する。そのときプロジェクタ１６の投射領域２０の画像も同時にとりこまれる、画像を解析することで他の機器（プロジェクタ１６）の投射領域２１も取得することが可能である。
【００５９】
本実施例では、図５に示したように検出領域２５が、投射領域２０,２１を包含するように示したがこれに限定するものではない。図９に示したように検出領域２５が少なくともプロジェクタ１５の投射領域２０を包含する形であれば同様の効果が得られる。
【００６０】
本構成であれば、例えばプロジェクタ１６の位置を動かした場合でも、投射領域検出および投射領域の制御を行うことで、投射画像の重畳のない画面が認識しやすい画像を得ることが可能である。
【００６１】
本実施例では、投射領域検出手段１７を別体のような形で示したが、プロジェクタ１５に内蔵してもよい。
【００６２】
また、投射領域検出手段１７、投射領域検出手段１８の双方をプロジェクタ１５とは別対にしてもよい。
【００６３】
尚、本実施例において、プロジェクタの数を１個とし、例えばプロジェクタ１５のみで構成しても良い。
【００６４】
プロジェクタ１６を別装置として取り扱い、プロジェクタ１６からの投射画像があったときに、双方のプロジェクタで投射される画像を制御しても良い。
【００６５】
このとき本実施例ではマルチプロジェクションシステムでなく、投射型画像表示装置となる。
【００６６】
具体的な構成としては、投射手段１５で投射面１９に映像を投射する。投射面１９内の所定の領域を投射領域検出手段１７で検出する。投射手段１５による投射領域２０を投射領域制御手段１８で制御する。
【００６７】
投射領域検出手段１７は、投射手段１５以外の他の投射手段１６による所定の領域２５内の投射領域２１を検出する。投射領域制御手段１８は投射領域検出手段１７から入力される信号に基づいて、投射手段１５で投射する投射領域２０を制御する。
【実施例３】
【００６８】
図１０は、本発明のマルチプロジェクションシステム実施例３の構成概要図である。
【００６９】
図１０において、プロジェクタ２６、３２,は、スクリーン３６上の投射領域３５,３４に画像を投射している。プロジェクタ２６と投射領域検出手段２７と投射領域制御手段３０は電気的に接続されている。
【００７０】
プロジェクタ２６は、映像入力信号３１に基づく映像をスクリーン３６上に表示するための大画面用のプロジェクタである。
【００７１】
一方プロジェクタ３２は、映像入力信号３３の画像を表示するための小型の携帯型のプロジェクタである。携帯型のプロジェクタ３２の投射領域３４は、プロジェクタ２６の投射領域３５に内包され、完全に重畳した状態である。
【００７２】
投射領域検出手段２７は、スクリーン３６上の検出領域３７内の画像(投射領域３５)を検出している。プロジェクタ２６には、投射領域検出手段２７の検出結果に基づいて領域制御された映像入力信号２８が入力され、それに基づく画像を表示するように構成されている。
【００７３】
従って、携帯型のプロジェクタ３２の投射領域３４の領域ではプロジェクタ２６の投射する映像３５との重畳はないように投射領域制御手段３０により制御される。以下にその方法を述べる。
【００７４】
図１１は、スクリーン３６上の投射領域３５,３４および検出領域３７を模式的に示した証明図である。
【００７５】
まず、投射領域制御手段３０からの映像入力信号２８によりプロジェクタ２６は全画面黒の状態となる。
【００７６】
投射領域検出手段２７は、２次元の画像を撮像できるように構成されており、プロジェクタ２６が全画面黒の映像３５を出力している状態で検出領域３７を撮像する。このとき、携帯型のプロジェクタ３２の投射領域３４の画像が撮像される。これにより、検出領域３７内にどのような表示があるのかを確認する。
【００７７】
次に、投射領域制御手段３０は、プロジェクタ２６で投射される投射領域３５の４角を示すマーカ３８を表示させる。投射領域検出手段２７は、このときの検出領域３７の画像を撮像する。撮像された画像中からマーカ３８を検出することでプロジェクタ２６の投射領域３５を特定する。プロジェクタ２６の投射領域３５内の携帯型のプロジェクタ３２による投射領域３４に対応する部分のみにプロジェクタ２６で黒を表示させる。これにより画像の重畳により認識しにくくなることを防止する。
【００７８】
本実施例においては、投射領域３５内の他の機器の投射領域の検出にあたって、投射領域制御手段３０が接続されている機器に全画面黒およびマーカ３８を順に表示させたがこれに限定するものではない。マーカ３８の表示時した際の検出領域３７の画像から画像処理によってマーカ３８の位置の特定と他の機器の画像位置を同時に取得してもよい。またマーカの形状はこれに限定するものではない。
【００７９】
システムの立ち上げ時ばかりでなく、所定の時間間隔で投射領域検出手段２７による投射領域３５の検出とその結果にもつづく投射領域制御手段３０による制御を行えば良い。これによれば携帯型のプロジェクタ３４の位置を任意に変えた場合でも投射画像の重畳を防止することができる。
【００８０】
本実施例においては、映像入力信号３１，２８を線の形で示したが、無線等々であってもよくその映像信号の形式を限定するものではない。
【００８１】
投射領域が重畳する場合、重畳させないで本実施例のように制御するかまたは、重畳させるということについては、投射領域制御手段３０にシステムの使用者が不図示のインターフェースにより選択できるようにすることも可能である。
【００８２】
以上のように各実施例によれば、投射手段の投射領域を検出することで、投射領域の投射画像同士の画像の重畳を検出することが容易となる。加えて、重畳領域における映像入力信号を制御して、投射手段に入力することで、画像の重畳を防止することができる。
【００８３】
又、投射領域検出手段により、第１、第２の投射手段のうち少なくとも一方の装置のスクリーン上における所定の領域内のうち自分以外による投射画像を検出し、投射領域内の他方の投射手段による投射画像を認識する。その結果に基づいて投射領域制御手段により投射手段の投射する投射領域を制御することで、画像の重畳を防止することができる。
【００８４】
特に、投射手段を動かした場合などに生じる重畳領域の変化に対しても良好に対応することができる。
【００８５】
特に複数の投射手段を用いて、複数の映像入力信号からの画像を表示するとき、１つの投射手段を動かした場合、映像の重畳が生じ、画像が認識しにくくなる。
【００８６】
これに対して複数の投射手段を用いるようなマルチプロジェクションシステムにおいては、投射領域の重畳によって画像の認識が難しくなるといったことを防止することができる。
【００８７】
さらに、携帯型のプロジェクタなどにより、投射領域を変更してもそれに適応できる自由な映像空間を実現することができる。
【図面の簡単な説明】
【００８８】
【図１】実施例１のマルチプロジェクションシステム概要図
【図２】図１における投射画像の模式図
【図３】図１における投射画像の模式図
【図４】実施例１のシーケンス
【図５】実施例２におけるマルチププロジェクションシステム概要図
【図６】図５における投射画像の模式図
【図７】実施例２のシーケンス
【図８】実施例２の投射画像の模式図
【図９】実施例２の投射領域の検出領域の別様態の説明図
【図１０】実施例３におけるマルチププロジェクションシステム概要図
【図１１】実施例３の投射画像の模式図
【符号の説明】
【００８９】
１  プロジェクタ（投射型画像表示装置）
２  プロジェクタ（投射型画像表示装置）
３  投射領域検出手段
４  投射領域制御手段
５  スクリーン
６  プロジェクタ１による投射領域
７  プロジェクタ２による投射領域
８  プロジェクタ１,２の重畳領域
９  映像入力信号
１０  映像入力信号
１１  領域制御された映像入力信号
１２  領域制御された映像入力信号
１３  信号線
１４  検出領域
１５  プロジェクタ（投射型画像表示装置）
１６  プロジェクタ（投射型画像表示装置）
１７  投射領域検出手段
１８  投射領域制御手段
１９  スクリーン
２０  プロジェクタ１５の投射領域
２１  プロジェクタ１６の投射領域
２２  プロジェクタ１５,１６の重畳領域
２３  映像入力信号
２４  映像入力信号
２５  検出領域
２６  プロジェクタ（投射型画像表示装置）
２７  投射領域検出手段
２８  領域制御された映像入力信号
２９  信号線
３０  投射領域制御手段
３１  映像入力信号
３２  携帯型のプロジェクタ（投射型画像表示装置）
３３  映像入力信号
３４  プロジェクタ３２の投射領域
３５  プロジェクタ２６の投射領域
３６  スクリーン
３７  検出領域
３８  マーカ
４０  領域指示手段
【図６】
2007079028.tif 000003
【図１】
2007079028.tif 000004
【図２】
2007079028.tif 000005
【図３】
2007079028.tif 000006
【図４】
2007079028.tif 000007
【図５】
2007079028.tif 000008
【図７】
2007079028.tif 000009
【図８】
2007079028.tif 000010
【図９】
2007079028.tif 000011
【図１０】
2007079028.tif 000012
【図１１】
2007079028.tif 000013